(57)【特許請求の範囲】
【請求項１】
駆動源に接続された主動ギアと、主動ギアにより回転される従動ギアを備えた回転体と、回転体に接続された装飾体と、からなる遊技機の可動装飾装置であって、
前記回転体にクリックストップ機構を設けたうえに、主動ギアと従動ギアとをバックラッシュをもって噛合させて、
クリックストップ機構の作動により従動ギアをバックラッシュの分だけ該従動ギアが回転する方向に高速回転させ、前記バックラッシュの分だけ位相を前進させることにより、前記主動ギアの前側歯面が前記従動ギアの後側歯面に再度当接するまでの間、該従動ギアの回転を一時停止させることで、装飾体の回転を一時停止させるようにしたことを特徴とする遊技機の可動装飾装置。
【請求項２】
クリックストップ機構として、回転体と係合可能なレバーを配設したうえに、このレバーの先端には突起又は係合凹部を設け、前記回転体には従動ギアと同心の回転円盤を設け、この回転円盤の外周に前記突起が滑り込み可能な係合凹部又は前記係合凹部に滑り込み可能な突起を設けたことを特徴とする請求項１に記載の遊技機の可動装飾装置。
【請求項３】
クリックストップ機構として、レバーを回転体と係合可能に配設したうえに、このレバーの先端には突起又は係合凹部を設け、前記従動ギアには従動ギアの回転軸を囲繞して凹陥部を設け、この凹陥部の内周に前記突起が滑り込み可能な係合凹部又は前記係合凹部に滑り込み可能な突起を設けたことを特徴とする請求項１に記載の遊技機の可動装飾装置。
【請求項４】
前記突起を円柱状のものとしたうえに、前記係合凹部を、円柱状の突起が滑り込み可能な傾斜部を有するものとしたことを特徴とする請求項２又は３に記載の遊技機の可動装飾装置。
【請求項５】
前記レバーは、突起が係合凹部に入り込む方向に付勢されていることを特徴とする請求項２〜４の何れかに記載の遊技機の可動装飾装置。
【請求項６】
駆動源の回転軸に第一主動ギアと第二主動ギアを設け、第一主動ギアに噛合する第一従動ギアを備えた第一回転体を内側回転軸の一端に設けその他端に第一の装飾体を設けるとともに、内側回転軸を内有する外側回転軸の一端に第二主動ギアと噛合する第二従動ギアを備えた第二回転体を設けその他端に第二の装飾体を設けたうえに、それぞれの主動ギアと従動ギアとをバックラッシュをもって噛合させ、かつ第一回転体、第二回転体にはそれぞれ別個独立したクリックストップ機構を設けて、前記クリックストップ機構の作動により第一従動ギアと第二従動ギアとをバックラッシュの分だけ該第一従動ギアと該第二従動ギアが回転する方向にそれぞれ高速回転させ、前記バックラッシュの分だけそれぞれ位相を前進させることにより、前記第一主動ギアの前側歯面が前記第一従動ギアの後側歯面に再度当接するまでの間、及び前記第二主動ギアの前側歯面が前記第二従動ギアの後側歯面に再度当接するまでの間、該第一従動ギア及び該第二従動ギアの回転を一時停止させることで、二つの装飾体の回転を別個独立して一時停止させるようにしたことを特徴とする遊技機の可動装飾装置。
【請求項７】
駆動源の回転軸に第一主動ギアを設け、第一主動ギアに噛合する第一従動ギアを備えた第一回転体を内側回転軸の一端に設けその他端に第一の装飾体を設け、内側回転軸を内有する外側回転軸の一端に第二従動ギアを備えた第二回転体を設けその他端に第二の装飾体を設けたうえに、第一従動ギアと第二従動ギアを同軸に設けた第一中間ギア及び第二中間ギアを介して接続するとともに、第一主動ギアと第一従動ギア及び第二中間ギアと第二従動ギアとをバックラッシュをもって噛合させ、かつ第一回転体、第二回転体にはそれぞれ別個独立したクリックストップ機構を設けて、前記クリックストップ機構の作動により第一従動ギアと第二従動ギアとをバックラッシュの分だけ該第一従動ギアと該第二従動ギアが回転する方向にそれぞれ高速回転させ、前記バックラッシュの分だけそれぞれ位相を前進させることにより、前記第一主動ギアの前側歯面が前記第一従動ギアの後側歯面に再度当接するまでの間、及び前記第二中間ギアの前側歯面が前記第二従動ギアの後側歯面に再度当接するまでの間、該第一従動ギア及び該第二従動ギアの回転を一時停止させることで、二つの装飾体の回転を別個独立して一時停止させるようにしたことを特徴とする遊技機の可動装飾装置。
【発明の詳細な説明】
【技術分野】
【０００１】
本発明は、遊技機のセンター役物に用いられる可動装飾装置に関するものである。
【背景技術】
【０００２】
パチンコ機の遊技領域の中央には、液晶表示装置の周囲を覆うセンター役物が配設されている（特許文献１）。センター役物は、遊技の興趣を盛り上げるための可動装飾装置を備えている。従来の可動装飾装置において、装飾体が回転するようなものである場合には、回転速度を変化させたり、回転を一旦停止してその後再回転させたりするためには、通常駆動源自体を電気的に制御したり停止、再駆動させたりする必要があった。
【０００３】
しかしながら、駆動源を電気的に制御するには別途プリント基板等の制御部品が必要となって、装置がコスト高になってしまう。また、駆動源を加速、減速したり、あるいは駆動と停止とを繰り返したりする場合には、駆動源に負荷が繰り返しかかって、その寿命を低下させてしまうという問題があった。
【先行技術文献】
【特許文献】
【０００４】
【特許文献１】特開２００９−１２５１１６号公報
【発明の概要】
【発明が解決しようとする課題】
【０００５】
本発明は、上記した従来の問題点に鑑み、駆動源を電気的に制御を行わずとも装飾体の回転を加速、減速させたり、駆動と停止とを行うことができる遊技機の可動装飾装置を提供することを課題とする。
【課題を解決するための手段】
【０００６】
上記の課題を解決するためになされた本発明に係る遊技機の可動装飾装置は、駆動源に接続された主動ギアと、主動ギアにより回転される従動ギアを備えた回転体と、回転体に接続された装飾体と、からなる遊技機の可動装飾装置であって、
前記回転体にクリックストップ機構を設けたうえに、主動ギアと従動ギアとをバックラッシュをもって噛合させて、
クリックストップ機構の作動により従動ギアをバックラッシュの分だけ該従動ギアが回転する方向に高速回転させ、前記バックラッシュの分だけ位相を前進させることにより、前記主動ギアの前側歯面が前記従動ギアの後側歯面に再度当接するまでの間、該従動ギアの回転を一時停止させることで、装飾体の回転を一時停止させるようにしたことを特徴とするものである。
【０００７】
上記した発明において、クリックストップ機構として、回転体と係合可能なレバーを配設したうえに、このレバーの先端には突起又は係合凹部を設け、前記回転体には従動ギアと同心の回転円盤を設け、この回転円盤の外周に前記突起が滑り込み可能な係合凹部又は前記係合凹部に滑り込み可能な突起を設けることができ、また、クリックストップ機構として、レバーを回転体と係合可能に配設したうえに、このレバーの先端には突起又は係合凹部を設け、前記従動ギアには従動ギアの回転軸を囲繞して凹陥部を設け、この凹陥部の内周に前記突起が滑り込み可能な係合凹部又は前記係合凹部に滑り込み可能な突起を設けることができる。
さらに、前記突起を円柱状のものとしたうえに、前記係合凹部を、円柱状の突起が滑り込み可能な傾斜部を有するものとすることができ、前記レバーを、突起が係合凹部に入り込む方向に付勢することができる。
【０００８】
また、駆動源の回転軸に第一主動ギアと第二主動ギアを設け、第一主動ギアに噛合する第一従動ギアを備えた第一回転体を内側回転軸の一端に設けその他端に第一の装飾体を設けるとともに、内側回転軸を内有する外側回転軸の一端に第二主動ギアと噛合する第二従動ギアを備えた第二回転体を設けその他端に第二の装飾体を設けたうえに、それぞれの主動ギアと従動ギアとをバックラッシュをもって噛合させ、かつ第一回転体、第二回転体にはそれぞれ別個独立したクリックストップ機構を設けて、前記クリックストップ機構の作動により第一従動ギアと第二従動ギアとをバックラッシュの分だけ該第一従動ギアと該第二従動ギアが回転する方向にそれぞれ高速回転させ、前記バックラッシュの分だけそれぞれ位相を前進させることにより、前記第一主動ギアの前側歯面が前記第一従動ギアの後側歯面に再度当接するまでの間、及び前記第二主動ギアの前側歯面が前記第二従動ギアの後側歯面に再度当接するまでの間、該第一従動ギア及び該第二従動ギアの回転を一時停止させることで、二つの装飾体の回転を別個独立して一時停止させるようにすることができる。
【０００９】
また、駆動源の回転軸に第一主動ギアを設け、第一主動ギアに噛合する第一従動ギアを備えた第一回転体を内側回転軸の一端に設けその他端に第一の装飾体を設け、内側回転軸を内有する外側回転軸の一端に第二従動ギアを備えた第二回転体を設けその他端に第二の装飾体を設けたうえに、第一従動ギアと第二従動ギアを同軸に設けた第一中間ギア及び第二中間ギアを介して接続するとともに、第一主動ギアと第一従動ギア及び第二中間ギアと第二従動ギアとをバックラッシュをもって噛合させ、かつ第一回転体、第二回転体にはそれぞれ別個独立したクリックストップ機構を設けて、前記クリックストップ機構の作動により第一従動ギアと第二従動ギアとをバックラッシュの分だけ該第一従動ギアと該第二従動ギアが回転する方向にそれぞれ高速回転させ、前記バックラッシュの分だけそれぞれ位相を前進させることにより、前記第一主動ギアの前側歯面が前記第一従動ギアの後側歯面に再度当接するまでの間、及び前記第二中間ギアの前側歯面が前記第二従動ギアの後側歯面に再度当接するまでの間、該第一従動ギア及び該第二従動ギアの回転を一時停止させることで、二つの装飾体の回転を別個独立して一時停止させるようにすることもできる。
【発明の効果】
【００１０】
請求項１に係る可動装飾装置は、クリックストップ機構が作動した瞬間にバックラッシュの分だけ従動ギアが瞬間的に前進回転されるので、従動ギアの後側歯面と主動ギアの前側歯面との間にバックラッシュ分の隙間が生ずる。そして、主動ギアの回転が続行されて主動ギアの前側歯面が従動ギアの後側歯面に当接されるまでの時間従動ギアの回転は一時停止されるので、従動ギアの回転軸に取り付けた装飾体の回転を一時停止させることができる。よって、従動ギアを電気的に制御せずとも回転体を一時停止させることができるという効果を奏することができる。
【００１１】
請求項２、３に係る発明は、突起が係合凹部に嵌め込まれた瞬間に、バックラッシュの分だけ従動ギアを前方に高速回転させることができるので、従動ギアが主動ギアにより再度回転されるまでの時間回転体の回転を停止することができる。
請求項４に係る発明は、突起を円柱状のものとし、係合凹部を傾斜部を有するものとしたので、突起を傾斜部を滑らせることにより、クリックストップ機構を確実に作動させることができる。
請求項５に係る発明は、レバーを付勢したことにより、クリックストップ機構を確実に作動させることができる。
請求項６にかかる発明は、二つの装飾体の回転をクリックストップ機構によりそれぞれ別個独立して一時停止させることができる。
【図面の簡単な説明】
【００１２】
【図１】第一の実施形態の可動装飾装置を示す斜視図である。
【図２】突起が係合凹部直前にある状態の可動装飾装置の正面図である。
【図３】突起が係合凹部に入る途中の可動装飾装置の正面図である。
【図４】突起が係合凹部に嵌った状態の可動装飾装置の正面図である。
【図５】突起が係合凹部から脱出途中の可動装飾装置の正面図である。
【図６】突起が係合凹部から脱出した状態の可動装飾装置の正面図である。
【図７】主動ギアが従動ギアを回転する状態の説明図である。
【図８】従動ギアが瞬間的に回転される途中の状態の説明図である。
【図９】従動ギアの回転が瞬間的に停止された状態の説明図である。
【図１０】第二の実施形態の可動装飾装置の表側の斜視図である。
【図１１】第二の実施形態の可動装飾装置の裏側の斜視図である。
【図１２】第二の実施形態の可動装飾装置の背面図である。
【図１３】第一、第二の実施形態を搭載した可動装飾装置の表側斜視図である。
【図１４】図１３の可動装飾装置の裏側斜視図である。
【図１５】図１４の可動装飾装置の断面構造図である。
【図１６】図１３の可動装飾装置の他の例を示す概念図である。
【発明を実施するための形態】
【００１３】
以下に、本発明の実施形態に付いて説明する。
図１、２は、第一の実施形態である可動装飾装置を示す図であって、１はモータなどの駆動源（図示していない）によって駆動される主動ギア、２は回転体である。回転体２は、主動ギア１に噛合する従動ギア３と、この従動ギア３と同心に設けられた回転円盤４とからなる。回転円盤４は、外周に係合凹部４１を有している。係合凹部４１の両側は、傾斜部４２となっている。
【００１４】
５はレバーであって、このレバー５は一端の支軸５１を中心に回動し、先端には、前記係合凹部４１に入出可能な円柱状の突起５２を有している。この突起５２は図示を省略したバネにより係合凹部４１に入り込む方向に付勢されている。バネは鍵部５３にかけられる。付勢された突起５２と係合凹部４１とによりクリックストップ機構が形成されている。なお、突起５２を回転円盤側に設け、係合凹部４１をレバー側に設けることもできる。クリックストップ機構は、実施例のものに限定されることはなく、例えばＶ字状の谷と、この谷の方向に付勢されたピンとからなるものなど公知のものを用いることができる。
また、６は三日月状とした装飾体であって、この装飾体６は回転軸６１を介して回転体２（従動ギア３、回転円盤４）と一体に回転する。
【００１５】
クリックストップ機構を以下に説明する。
図２において、従動ギア３は主動ギア１により回転されていて、これによって回転円盤４、装飾体６もともに回転されており、突起５２は係合凹部４２に入り込む直前である。突起５２が係合凹部４１に差し掛かると突起５２は傾斜部４２を滑って、図３の状態を経て、図４に示すように係合凹部４１に嵌り込む。さらに従動ギア３の回転が続くと突起５２は傾斜部４２を上方に滑って、図５の状態を経て、図６に示すような係合凹部４１から脱出した状態となる。傾斜部４２は突起５２の滑り込みを容易とするため角度の急なものとするのが望ましい。
【００１６】
突起５２が係合凹部４１に入出する間の状態を、図７〜９を用いてさらに詳細に説明する。突起５２が係合凹部４１外である図７の通常の状態においては、主動ギア１の前側歯面１１が従動ギア３の後側歯面３２を押圧して従動ギア３を回転させている。このとき、主動ギア１の後側歯面１２と従動ギア３の前側歯面３１との間にはバックラッシュが存在する。
【００１７】
そして、突起５２が係合凹部４１の傾斜部４２に差し掛かったとたん、突起５２は付勢力により傾斜部４２を下って係合凹部４１に入り込む。このときバックラッシュの分だけ従動ギア３は主動ギア１の前側歯面１１による押圧から離れて、図８の状態を経て図９の状態に瞬時に移行する。図９においては、従動ギア３の前側歯面３１が主動ギア１の後側歯面１２に当接されており、従動ギア３の後側歯面３２と主動ギア１の前側歯面１１との間は、バックラッシュの分だけ離間されている。すなわち、バックラッシュの分だけ従動ギア３は瞬時に前進回転（回転正方向に回転）され、これとともに回転体６も瞬時に回転される。
【００１８】
そして、主動ギア１の前側歯面１１が従動ギア３の後側歯面３２に当接されるまでの時間、すなわち図９の状態から図７の状態に戻るまでの時間、従動ギア３の回転は停止されるので装飾体６の回転移動も一時停止されることとなる。図７の状態に戻った後は、従動ギア３は通常に回転されて、突起５２は係合凹部４１から抜け出して回転体が通常の速度で回転されるので、装飾体６も通常の速度で回転される。
【００１９】
なお、バックラッシュは大きければ大きいほど回転体２の停止時間を長くすることができて望ましいが、大きすぎると歯同士の噛み合いが悪くなって異音の発生や歯車の破損につながるので、これらの不具合が発生しない程度の大きさにとるのが望ましい。また、レバー５を、自重によっても付勢することができるが、バネなどの弾性体で付勢するのが、突起５２と係合凹部４１の瞬時の係合を確実に行うことができるので、望ましい。
【００２０】
図１０〜１２に第二の実施形態の可動装飾装置を示す。図において主動ギア１は、回転体２に設けられた従動ギア３とバックラッシュをもって噛合されている。従動ギア３の外側回転軸６２には星形状に形成した装飾体６が固定されている。従動ギア３には、回転軸６１を囲繞して凹陥部４３が形成されており、この凹陥部４３の外縁に複数の係合凹部４１が所要間隔をおいて設けられている。それぞれの係合凹部４１の両端は傾斜部４２となっている。レバー５は一端の支軸５１を中心に回動し、先端には前記係合凹部４１に入出可能な円柱状の突起５２を有している。突起５２は図示を省略したバネにより係合凹部４１に入り込む方向に付勢されている。バネは鍵部５３にかけられる。
【００２１】
第二の実施形態の可動装飾装置においても、突起５２が係合凹部４１の傾斜部４２に差し掛かったとたん、突起５２は付勢力により傾斜部４２を下って係合凹部４１に入り込む。このときバックラッシュの分だけ従動ギア３は瞬間的に前進回転される。そして、主動ギア１の前側歯面１１が従動ギア３の後側歯面３２に当接されるまでの間、従動ギア３の回転は停止されるので装飾体６の移動も一瞬停止される。従動ギア３が主動ギア１によって回転される状態に復帰したときに、装飾体６も再び通常の速度で回転される。
【００２２】
第一の実施形態のものが回転円盤４の外周に係合凹部４１が設けられているのに対し、第二の実施形態のものは、回転軸６１の周りに形成された凹陥部４３の内周に係合凹部４１が設けられた点が相違するのみで、従動ギア３の瞬間的高速移動と停止の機構は、第一の実施形態のものと変わるところはない。よって、第二の実施形態においても、機械的制御により装飾体６を高速回転と停止とを行うことができる。
【００２３】
以上の第一、第二の実施形態のものを一つの可動装飾装置として組み合わせた第３の実施形態の可動装飾装置を図１３、１４、１５に示す。すなわち、モータ９の回転軸９１に大小二つの主動ギア１ａ、１ｂを設ける（図１５）。回転軸６１の一端に小形の従動ギア３ａを装着して大形の主動ギア１ａに噛合させる。回転軸６１の先端には月形とした第一の装飾体６ａを取り付ける。回転軸６１を内有する外側回転軸６２の一端に大形従動ギア３ｂを装着して小形の主動ギア１ｂと噛合させる。外側回転軸６２の他端に星形とした第二の装飾体６ｂを取り付ける。このようにして、第一、第二の装飾体６ａ、６ｂをそれぞれ独立させて回転させることができる。さらに、主動ギア１ａと従動ギア３ａ、及び主動ギア１ｂと従動ギア３ｂはそれぞれバックラッシュをもって噛合されており、また、従動ギア３ａ、３ｂはそれぞれレバー５ａ、５ｂからなるクリックストップ機構を有する。以上のように構成したことにより、クリックストップ機構を作動させたときに、従動ギア３ａ、３ｂを一時停止させることができ、これによって、第一、第二の装飾体６ａ、６ｂをそれぞれ独立させて一時停止させることができる。
【００２４】
なお、図１４において、二つの鍵部５３ａ、５３ｂの間にバネを張架することによりレバー５ａが内向きに付勢され、レバー５ｂが外向きに付勢されるので、バネが一本で足りる。また、第３の実施形態ではモータ９の回転軸９１に主動ギア１ａ、１ｂを設けているが、これに限定されず、図１６のような構成とすることもできる。すなわち、モータ９の回転軸９１に第一主動ギア１ａを設け、第一主動ギア１ａに噛合する第一従動ギア３ａを内側回転軸６１の一端に設けその他端に第一の装飾体６ａを設け、内側回転軸６１を内有する外側回転軸６２の一端に第二従動ギア３ｂを設けその他端に第二の装飾体６ｂを設けたうえに、第一従動ギア３ａと第二従動ギア３ｂを同軸に設けた第一中間ギア８ａ及び第二中間ギア８ｂを介して接続するとともに、第一主動ギア１ａと第一従動ギア３ａ及び第二中間ギア８ｂと第二従動ギア３ｂとをバックラッシュをもって噛合させ、かつそれぞれの従動ギア３ａ、３ｂにはクリックストップ機構を設けて、二つの装飾体の回転をクリックストップ機構により別個独立して一時停止させるようすることもできる。
【符号の説明】
【００２５】
１  主動ギア、２  回転体、３  従動ギア、４  回転円盤、５  レバー、６  装飾体、４１  係合凹部、５２  突起、
【図１】
0005429662.tif 000002
【図２】
0005429662.tif 000003
【図３】
0005429662.tif 000004
【図４】
0005429662.tif 000005
【図５】
0005429662.tif 000006
【図６】
0005429662.tif 000007
【図７】
0005429662.tif 000008
【図８】
0005429662.tif 000009
【図９】
0005429662.tif 000010
【図１０】
0005429662.tif 000011
【図１１】
0005429662.tif 000012
【図１２】
0005429662.tif 000013
【図１３】
0005429662.tif 000014
【図１４】
0005429662.tif 000015
【図１５】
0005429662.tif 000016
【図１６】
0005429662.tif 000017